(57)【要約】【課題】オンスクリーンディスプレイ表示を、メインの映像表示を邪魔することなく良好に行うようにする。【解決手段】受信又は入力した映像信号を表示部で表示させる場合に、その表示に関連した文字又は図形による副映像を副映像処理部で生成させ、第１の表示モードの場合に、副映像処理部で生成した副映像を主映像処理部の出力映像に合成して表示させ（図４（ａ）の表示）、第２の表示モードの場合に、副映像処理部で生成した副映像を主映像処理部の出力映像に合成させずに、副映像を表示させる映像信号を外部に出力させるようにした（図４（ｂ）の表示）。【選択図】図４
2007251418.tif 000002
【特許請求の範囲】
【請求項１】
受信又は入力した映像信号を処理する主映像処理部と、
前記主映像処理部で処理された映像を表示する表示部と、
前記表示部での表示に関連した文字又は図形による副映像を生成させる副映像処理部と、
前記表示部での表示を制御し、第１の表示モードの場合に、前記副映像処理部で生成した副映像を前記主映像処理部の出力映像に合成して表示させ、第２の表示モードの場合に、前記副映像処理部で生成した副映像を前記主映像処理部の出力映像に合成させずに、副映像を表示させる映像信号を出力させることを特徴とする
映像表示装置。
【請求項２】
請求項１に記載の映像表示装置において、
前記副映像を表示させる映像信号を無線送信させる無線送信部を備え、
前記無線送信部の送信出力を別体の表示装置で表示させることを特徴とする
映像表示装置。
【請求項３】
請求項１に記載の映像表示装置において、
前記第１の表示モードと第２の表示モードは、当該映像表示装置を遠隔制御するリモートコントローラからの所定の制御指令の送信で切換えることを特徴とする
映像表示装置。
【請求項４】
請求項１に記載の映像表示装置において、
前記副映像は、前記表示部での表示状態を調整するための文字又は図形の映像であることを特徴とする
映像表示装置。
【発明の詳細な説明】
【技術分野】
【０００１】
本発明は、テレビジョン受像機に適用して好適な映像表示装置に関する。
【背景技術】
【０００２】
テレビジョン受像機においては、チューナが受信した映像などのメインの映像以外に、その映像表示に関係した案内などの各種映像を同時に表示することが行われている。例えば、受信チャンネルや入力種類の表示、音量調整時の音量表示、画質や音質調整時の調整状態の表示、その他の各種メニュー画面表示などを、文字や図形で、表示映像に重畳（合成）して、表示させるようにしてある。これらの表示は、オンスクリーンディスプレイ表示（ＯＳＤ表示）とも称される。
【０００３】
オンスクリーンディスプレイ表示は、例えばテレビジョン受像機に付属したリモートコントローラの操作で、オン・オフすることが可能である。
【特許文献１】特開平２００３−３３３３５９号公報
【発明の開示】
【発明が解決しようとする課題】
【０００４】
従来のオンスクリーンディスプレイ表示は、基本的にメインの映像に重ねて表示させるものであるため、その表示があると、メインの映像が見え難くなってしまう問題があった。特許文献１には、１つの映像信号源（チューナ内蔵のベースユニット）から、２つの異なる受像機に、個別の映像信号を供給することについての記載があるが、単純に２つの異なる受像機に、異なる映像プログラムを表示させるものであり、オンスクリーンディスプレイ表示の問題を解決する手法ではない。
【０００５】
本発明はかかる点に鑑み、オンスクリーンディスプレイ表示などの映像表示を、メインの映像表示を邪魔することなく良好に行うようにすることを目的とする。
【課題を解決するための手段】
【０００６】
本発明は、受信又は入力した映像信号を表示部で表示させる場合に、その表示に関連した文字又は図形による副映像を副映像処理部で生成させ、第１の表示モードの場合に、副映像処理部で生成した副映像を主映像処理部の出力映像に合成して表示させ、第２の表示モードの場合に、副映像処理部で生成した副映像を主映像処理部の出力映像に合成させずに、副映像を表示させる映像信号を外部に出力させるようにしたものである。
【０００７】
このようにしたことで、表示装置単体でオンスクリーンディスプレイ表示を行う際には、第１の表示モードを設定することで、従来の一般的な表示装置と同様に、主映像に合成された状態でオンスクリーンディスプレイ表示が行われる。そして、第２の表示モードを設定することで、主映像には他の映像が合成されることがなくなり、別体の表示装置に、オンスクリーンディスプレイ用の映像だけが表示されるようになる。
【発明の効果】
【０００８】
本発明によれば、別体の表示装置を用意した際には、その別体の表示装置を使用してオンスクリーンディスプレイ用の映像などの副映像を表示させて、本体側の表示部には、主映像だけを表示させることが可能で、メインの映像表示を邪魔することなく良好に表示させることができるという効果が得られる。また、別体の表示装置がない場合には、本体側の表示部で従来と同様なメインの映像にオンスクリーンディスプレイ用の映像などを合成させた映像表示が可能であり、使用形態に応じた適切な表示形態が選択できる効果を有する。
【発明を実施するための最良の形態】
【０００９】
以下、本発明の第１の実施の形態を、図１〜図４を参照して説明する。
図１は、本例のシステム構成例を示したブロック図である。本例においては、映像表示装置としてのテレビジョン受像機１０と、そのテレビジョン受像機１０を遠隔制御するリモートコントローラ３０とでシステムを構成したものである。
【００１０】
まず、テレビジョン受像機１０の構成について説明する。テレビジョン受像機１０は、アンテナ１１が接続されたチューナ１２で、所定のチャンネルの放送信号を受信し、受信した映像信号を映像処理部１３に供給して、表示させるための映像信号を得る処理を行う。映像入力端子１４に外部から得られる映像信号を、映像処理部１３に供給して処理することも可能である。
【００１１】
映像処理部１３が出力する映像信号は、合成部１５を介して表示処理部１７に供給し、表示パネル１８で映像を表示させるための駆動処理を行う。合成部１５は、映像処理部１３が出力する映像信号に、オンスクリーンディスプレイ処理部１６が出力する映像信号を合成（重畳）する処理を行うものである。オンスクリーンディスプレイ処理部１６は、文字又は図形で、この受像機の状態などの、表示映像に関連した案内表示を行うための映像信号（副映像信号）を生成させる処理部である。オンスクリーンディスプレイ処理部１６での生成処理は、制御部２０の制御により行われ、表示させる文字、図形などのキャラクタデータなどを記憶したメモリ（図示せず）が用意してある。
【００１２】
本例のオンスクリーンディスプレイ処理部１６は、合成部１５側に副映像信号を出力して、テレビジョン受像機１０が備える表示パネル１８に表示させる処理の他に、無線送受信部２１に供給して、外部に無線送信させる処理が可能としてある。この表示パネル１８に表示させる処理と、外部に無線送信させる処理は、制御部２０に設定された動作モードに応じて、選択的に行われるようにしてある。この動作モードと選択処理の詳細は後述する。
【００１３】
無線送受信部２１は、内蔵されたアンテナ２２を接続してあり、例えばＩＥＥＥ（Institute of Electrical and Electronic Engineers）８０２．１１規格に準拠した無線通信を行う送受信部である。ここでの無線通信としては、例えば２．４ＧＨｚ帯を使用した無線伝送が行われる。無線送受信部２１が無線通信する相手としては、リモートコントローラ３０が用意してあり、テレビジョン受像機１０内の制御部２０が、リモートコントローラ３０側と双方向の制御データのやり取りを行って、リモートコントローラ３０からの指令に基づいた動作制御が行われる。制御部２０には、キー１９からの操作情報が供給されて、キー操作に基づいた動作も行われる。なお、ここまでのテレビジョン受像機１０の構成については、主として映像処理系を中心に説明してあり、音声処理系の構成については省略してある。
【００１４】
次に、リモートコントローラ３０の構成について説明すると、リモートコントローラ３０は、キー３１を備えて、そのキー３１の操作指令が制御部３２に供給される。制御部３２は、操作指令に基づいて、テレビジョン受像機１０の動作を制御する制御指令を無線送受信部３３に供給し、無線送受信部３３に接続されたアンテナ３４から制御指令が含まれる無線信号を送信させる。キー３１としては、例えばテレビジョン受像機のチャンネル指定キー、音量キー、メニュー画面操作キーなどの他に、ＯＳＤカットキー３１ａ（図４参照）を備える。
【００１５】
そして本例のリモートコントローラ３０は、比較的表示サイズが小さな液晶表示パネルなどで構成される表示パネル３７を備えて、映像の表示が可能としてある。この表示パネル３７で表示させる映像は、テレビジョン受像機１０側から無線伝送される。即ち、無線送受信部３３で映像信号を受信した場合には、その映像信号をデータ処理部３５に送り、表示用の映像信号を復調し、その復調された映像信号を表示処理部３６に供給して、表示パネル３７を駆動する表示処理を行う。テレビジョン受像機１０側から無線伝送されて表示パネル３７に表示される映像としては、本例の場合、オンスクリーンディスプレイ処理部１６が出力する映像である。なお、このリモートコントローラ３０は、例えばキー３１の操作指令については常時送信可能に待機し、表示パネル３７での表示に関係した回路ブロックについては、テレビジョン受像機側から映像信号が供給されない限り、電源オフ状態とするように電源制御を行うようにしてもよい。また、表示パネル３７として、指やペンなどの接触を検出する、いわゆるタッチパネルで構成して、キー３１の一部を兼用するようにしてもよい。
【００１６】
次に、このように構成されるシステム構成で、オンスクリーンディスプレイ処理部１６が出力する映像を表示させる処理について説明する。オンスクリーンディスプレイ処理部１６が出力するオンスクリーンディスプレイ用の映像表示モードとしては、本例の場合、通常表示モードと、ＯＳＤ表示カットモードの２つのモードが用意してあり、現在設定中のモード情報が、テレビジョン受像機１０内の制御部２０に登録してある。この登録されたモードは、リモートコントローラ３０に用意されたＯＳＤカットキー３１ａの操作で変更可能としてある。
【００１７】
図２のフローチャートは、この変更処理例を示した図である。図２のフローチャートに従って説明すると、制御部２０は、無線送受信部２１で受信した信号から、ＯＳＤカットキー３１ａの操作に対応した操作指令があるか否か判断する（ステップＳ１１）。ＯＳＤカットキー３１ａの操作に対応した操作指令を受信したと判断した場合には、現在設定中のモードが、ＯＳＤ表示カットモードであるか否か判断する（ステップＳ１２）。ここで、現在設定中のモードが、ＯＳＤ表示カットモードである場合には、動作モードを通常表示モードに変更する（ステップＳ１３）。また、現在設定中のモードが、ＯＳＤ表示カットモードでない場合（即ち通常表示モードである場合）には、動作モードをＯＳＤ表示カットモードに変更する（ステップＳ１４）。
【００１８】
図３のフローチャートは、テレビジョン受像機１０のオンスクリーンディスプレイ処理部１６が、何らかの表示映像を生成させた場合の処理例を示した図である。図３のフローチャートに従って説明すると、制御部２０は、オンスクリーンディスプレイ表示を行うタイミングであるか否か判断し（ステップＳ２１）、表示させるタイミングになると、現在のオンスクリーンディスプレイ用の映像表示モードが、ＯＳＤ表示カットモードか通常表示モードかを判断する（ステップＳ２２）。ここで、ＯＳＤ表示カットモードである場合には、オンスクリーンディスプレイ処理部１６で生成されたオンスクリーンディスプレイ表示用の映像信号を、無線送受信部２１から無線送信させ、合成部１５では映像信号に合成させない（ステップＳ２３）。また、通常表示モードである場合には、オンスクリーンディスプレイ処理部１６で生成されたオンスクリーンディスプレイ表示用の映像信号を、合成部１５に供給して、映像処理部１３が出力する映像信号に合成（重畳）させ、オンスクリーンディスプレイ表示用の映像信号の無線伝送は行わない（ステップＳ２４）。
【００１９】
ステップＳ２３で無線送信させた場合には、その送信された映像信号がリモートコントローラ３０で受信されて、表示パネル３７に表示させる処理が行われる。
【００２０】
図４は、このようにして表示処理を行った場合の表示例を示した図である。図４（ａ）は、ＯＳＤ表示カットモードでの表示例を示したもので、図４（ｂ）は、通常表示モードでの表示状態を示したものである。図４に示すように、テレビジョン受像機１０とは別体のリモートコントローラ３０には、テレビジョン受像機を操作するための複数のキー３１の他に、表示パネル３７が用意されている。本例の場合には、キー３１の一つとして、ＯＳＤカットキー３１ａが用意してある。このＯＳＤカットキー３１ａの操作による図２のフローチャートに基づいたモード設定で、通常表示モードが設定されている状態では、図４（ｂ）に示すように、テレビジョン受像機１０の表示パネル１８に、オンスクリーンディスプレイ表示が行われる。この表示状態では、現在表示中の主映像の一部の表示領域１８ａを使用して、表示が行われている。図４（ｂ）の表示例では、表示パネル１８での表示画質の調整用の文字や図形によるオンスクリーンディスプレイ表示を行った例としてある。この状態では、リモートコントローラ３０の表示パネル３７には、何も表示を行わない。この無表示状態では、表示パネル３７で表示させるための回路ブロックの電源をオフとしてもよい。
【００２１】
そして、ＯＳＤカットキー３１ａの操作による図２のフローチャートに基づいたモード設定で、ＯＳＤ表示カットモードが設定されている場合には、図４（ａ）に示すように、テレビジョン受像機１０の表示パネル１８には、主映像だけが表示され、リモートコントローラ３０の表示パネル３７に、オンスクリーンディスプレイ表示３７ａが行われる。このようにテレビジョン受像機１０側でメインの映像だけが表示されることで、各種案内情報や調整用の情報を表示するためのオンスクリーンディスプレイ表示で、メインの映像表示が見難くなることがなく、良好な表示形態が維持される。そして、オンスクリーンディスプレイ表示そのものは、操作を行うユーザが手元に所持している可能性が高いリモートコントローラ３０に表示されるので、簡単に表示内容を確認することができる。例えば図４（ａ）の例のように、調整用のメニュー画面を表示させて、調整作業を行う際には、ユーザの手元で調整項目や調整量を確認しながら、調整項目の選択や調整量の設定の操作を行うことができ、非常に調整作業の作業性が向上する。
【００２２】
なお、図１の例では、テレビジョン受像機１０とリモートコントローラ３０との間の無線伝送については、ＩＥＥＥ８０２．１１規格に準拠した無線伝送を行うようにしたが、赤外線信号の伝送や、Bluetooth（商標）などの他の伝送方式を利用してもよい。この場合、リモートコントローラ３０からテレビジョン受像機１０への制御指令の伝送については、赤外線伝送を行い、テレビジョン受像機１０からリモートコントローラ３０への映像信号の伝送については、ＩＥＥＥ８０２．１１規格に準拠した無線伝送を行うようにして、異なる複数の伝送方式を組み合わせるようにしてもよい。
【００２３】
また、ここまでの説明では、モード設定に応じて、全てのオンスクリーンディスプレイ表示を切り替えるようにしたが、ＯＳＤ表示カットモードを設定した場合でも、一部のオンスクリーンディスプレイ表示については、テレビジョン受像機１０の表示パネル１８に表示させるようにしてもよい。例えば、受信チャンネル番号表示や、音量調整時の音量表示については、表示パネル１８で行い、メニュー画面や各種調整などの比較的複雑な表示については、リモートコントローラ３０の表示パネル３７だけで行うようにしてもよい。
【００２４】
次に、本発明の第２の実施の形態を、図５及び図６を参照して説明する。
図５は、本例のシステム構成例を示したブロック図であり、図６は装置形状の例を示した斜視図である。本例においては、映像表示装置としてのテレビジョン受像機５０と、そのテレビジョン受像機５０を遠隔制御するリモートコントローラ７０と、テレビジョン受像機５０に接続されたモニタ受像機８０とでシステムを構成したものである。
【００２５】
まず、テレビジョン受像機５０の構成について説明する。テレビジョン受像機５０は、アンテナ５１が接続されたチューナ５２で、所定のチャンネルの放送信号を受信し、受信した映像信号を映像処理部５３に供給して、表示させるための映像信号を得る処理を行う。映像入力端子５４に外部から得られる映像信号を、映像処理部５３に供給して処理することも可能である。
【００２６】
映像処理部５３が出力する映像信号は、合成部５５を介して表示処理部５７に供給し、表示パネル５８で映像を表示させるための駆動処理を行う。合成部５５は、映像処理部５３が出力する映像信号（主映像信号）に、オンスクリーンディスプレイ処理部５６が出力する映像信号を合成（重畳）する処理を行うものである。オンスクリーンディスプレイ処理部５６は、文字又は図形で、この受像機の状態などの、表示映像に関連した案内表示を行うための映像信号（副映像信号）を生成させる処理部である。オンスクリーンディスプレイ処理部５６での生成処理は、制御部６０の制御により行われ、表示させる文字、図形などのキャラクタデータなどを記憶したメモリ（図示せず）が用意してある。
【００２７】
本例のオンスクリーンディスプレイ処理部５６は、合成部５５側に副映像信号を出力して、テレビジョン受像機５０が備える表示パネル５８に表示させる処理の他に、切替スイッチ６２側に供給することもできる構成としてある。切替スイッチ６２は、合成部５５が出力する主映像信号と、オンスクリーンディスプレイ処理部５６が出力する副映像信号とを切替える切替スイッチであり、制御部６０により切替えが制御される。切替スイッチ６２により選択された映像信号は、映像出力端子６３から出力させる。
【００２８】
テレビジョン受像機５０の動作を制御する制御部６０には、赤外線受光部６１で受光した制御指令が供給される構成としてあり、リモートコントローラ７０からの指令に基づいた動作制御を行う構成としてある。後述するオンスクリーンディスプレイ表示に関係したモード設定についても、制御部６０が制御し設定する構成としてある。なお、ここまでのテレビジョン受像機５０の構成については、主として映像処理系を中心に説明してあり、音声処理系の構成については省略してある。
【００２９】
リモートコントローラ７０は、テレビジョン受像機の操作を行うキー７１と、そのキー操作の情報が入力される制御部７２と、制御部７２が出力する制御指令を赤外線信号として送信する赤外線送信部７３とを備える。キー７１の１つとして、ＯＳＤカットキー７１ａ（図６）が設けてある。
【００３０】
テレビジョン受像機５０の映像出力端子６３から出力される映像信号は、ケーブルなどで接続されたモニタ受像機８０に供給する。モニタ受像機８０は、映像入力端子８１に入力した映像信号を表示処理部８２に供給して、表示パネル８３で表示させるための駆動処理を行う構成としてある。表示パネル８３は、比較的小型の液晶表示パネルなどで構成される。なお、モニタ受像機８０での表示に連動して、テレビジョン受像機５０の制御部６０側がモニタ受像機８０の電源のオン・オフ制御をできるようにしてもよい。
【００３１】
モニタ受像機８０については、例えば図６に示すように、テレビジョン受像機５０の近傍に設置して、テレビジョン受像機５０の表示パネル５８の表示と、モニタ受像機８０の表示パネル８３の表示とを、同時にユーザが見える状態とするのが好ましい。この図６に示すような設置状態で、リモートコントローラ７０を使用して、テレビジョン受像機５０の操作を行う。
【００３２】
このようなシステム構成とした上で、本例においては、テレビジョン受像機５０の動作を制御する制御部６０は、オンスクリーンディスプレイ表示に関係したモード設定に応じて、切替スイッチ６２の切替えを制御すると共に、オンスクリーンディスプレイ処理部５６から合成部５５への出力を制御する。具体的には、通常表示モードが設定されている状態で、オンスクリーンディスプレイ表示を行う際には、オンスクリーンディスプレイ処理部５６から合成部５５にオンスクリーンディスプレイ表示用の映像信号を出力し、合成部５５で主映像信号にオンスクリーンディスプレイ表示用の映像信号を合成し、表示パネル５８でオンスクリーンディスプレイ表示用の映像が合成された映像を表示させる。また、切替スイッチ６２で、合成部５５の出力を選択するようにしてある。モニタ受像機８０での表示をオンとさせた場合には、テレビジョン受像機５０の表示パネル５８と同じ映像が表示される。なお、この通常表示モードの際には、モニタ受像機８０での表示を常時オフとする制御を行ってもよい。
【００３３】
そして、ＯＳＤ表示カットモードが設定されている状態で、オンスクリーンディスプレイ表示を行う際には、オンスクリーンディスプレイ処理部５６から合成部５５にオンスクリーンディスプレイ表示用の映像信号を出力させず、表示パネル５８には主映像だけを映像を表示させる。そして、切替スイッチ６２で、オンスクリーンディスプレイ処理部５６の出力を選択するようにしてあり、モニタ受像機８０での表示をオンとさせた場合には、オンスクリーンディスプレイ表示用の映像だけが、モニタ受像機８０の表示パネル８３に表示される。ＯＳＤ表示カットモードの際には、モニタ受像機８０での表示を、オンスクリーンディスプレイ表示を行う際だけオンとし、その他の場合はオフとする制御を行ってもよい。
【００３４】
このようなオンスクリーンディスプレイ表示処理を行うことで、第１の実施の形態の場合と同様に、各種案内情報や調整用の情報を表示するためのオンスクリーンディスプレイ表示で、メインの映像表示が見難くなることがなく、良好な表示形態が維持される。そして、本実施の形態の場合には、リモートコントローラは表示部を持たない一般的なリモートコントローラが使用可能であり、システムの汎用性が高い。
【００３５】
なお、上述した第１及び第２の実施の形態では、オンスクリーンディスプレイ表示として、チャンネル番号表示、音量表示、各種メニュー画面表示などを例としたが、テレビジョン受像機などの映像表示装置において、その表示装置内で生成された案内用の各種表示を、ここでのオンスクリーンディスプレイ表示に適用可能である。例えば、番組表を表示させる電子番組表示を、同様の処理で行うようにしてもよい。
【図面の簡単な説明】
【００３６】
【図１】本発明の第１の実施の形態によるシステム構成例を示すブロック図である。
【図２】本発明の第１の実施の形態によるモード変更処理例を示すフローチャートである。
【図３】本発明の第１の実施の形態によるオンスクリーンディスプレイ表示処理例を示すフローチャートである。
【図４】本発明の第１の実施の形態による表示例を示した説明図である。
【図５】本発明の第２の実施の形態によるシステム構成例を示すブロック図である。
【図６】本発明の第２の実施の形態による構成例を示す説明図である。
【符号の説明】
【００３７】
１０…テレビジョン受像機、１１…アンテナ、１２…チューナ、１３…映像処理部、１４…映像入力端子、１５…合成部、１６…オンスクリーンディスプレイ処理部、１７…表示処理部、１８…表示パネル、１９…キー、２０…制御部、２１…無線送受信部、２２…アンテナ、３０…リモートコントローラ、３１…キー、３１ａ…ＯＳＤカットキー、３２…制御部、３３…無線送受信部、３４…アンテナ、３５…データ処理部、３６…表示処理部、３７…表示パネル、５０…テレビジョン受像機、５１…アンテナ、５２…チューナ、５３…映像処理部、５４…映像入力端子、５５…合成部、５６…オンスクリーンディスプレイ処理部、５７…表示処理部、５８…表示パネル、５９…キー、６０…制御部、６１…赤外線受光部、６２…切替スイッチ、６３…映像出力端子、７０…リモートコントローラ、７１…キー、７１ａ…ＯＳＤカットキー、７２…制御部、７３…赤外線送信部、８０…モニタ受像機、８１…映像入力端子、８２…表示処理部、８３…表示パネル
【図１】
2007251418.tif 000003
【図２】
2007251418.tif 000004
【図３】
2007251418.tif 000005
【図４】
2007251418.tif 000006
【図５】
2007251418.tif 000007
【図６】
2007251418.tif 000008